(57)【要約】【課題】臥位、立位及び座位の撮影が１台の装置で可能なＸ線撮影装置を提供する。【解決手段】Ｘ線照射手段５より照射されたＸ線により被検者８の撮影部位を撮影し、撮影部位を透過したＸ線をＸ線受像手段１０により受像することにより、撮影部位のＸ線画像を得るようにしたＸ線撮影装置を、被検者を寝かせる天板１ａを備えたＸ線撮影台１と、天板１ａの下方にほぼ水平に設置されたＸ線受像手段１０と、Ｘ線受像手段１０を天板１ａの長手方向と直交する方向へ出し入れ自在に支持すると共に、Ｘ線受像手段１０をほぼ水平位置からほぼ垂直位置まで下方へ回動できるように支持するガイド手段１１と、Ｘ線受像手段１０を任意な角度に係止する角度調整手段１２とからを構成したもので、１台のＸ撮影装置により被検者の臥位、立位及び座位の何れの姿勢のＸ線撮影が可能となるため、設備費及び設置スペースを大幅に削減することができる。【選択図】図４
2005349060.tif 000002
【特許請求の範囲】
【請求項１】
Ｘ線照射手段より照射されたＸ線により被検者の撮影部位を撮影し、前記撮影部位を透過したＸ線をＸ線受像手段により受像することにより、前記撮影部位のＸ線画像を得るようにしたＸ線撮影装置であって、被検者を寝かせる天板を備えたＸ線撮影台と、前記天板の下方にほぼ水平に設置されたＸ線受像手段と、前記Ｘ線受像手段を前記天板の長手方向と直交する方向へ出し入れ自在に支持すると共に、前記Ｘ線受像手段をほぼ水平位置からほぼ垂直位置まで下方へ回動できるように支持するガイド手段と、前記Ｘ線受像手段を任意な角度に係止する角度調整手段とを具備したことを特徴とするX線撮影装置。
【請求項２】
前記ガイド手段を、前記Ｘ線撮影台側にほぼ水平に固定された固定レールと、前記固定レールに摺動自在に支承されたスライダに後端が軸ピンにより回動自在に支承された可動レールとから構成し、前記可動レールに前記Ｘ線受像手段を着脱自在に取り付けてなる請求項１に記載のX線撮影装置。
【請求項３】
前記角度調整手段を、前記Ｘ線受像手段側に設けられ、かっＸ線受像手段の回動中心を中心とする円上に複数の係止孔が穿設された角度調整板と、前記Ｘ線撮影台側に設けられ、かつ前記角度調整板の係止孔に選択的に挿入することにより、前記Ｘ線受像手段を任意な角度に係止する係止ピンとから構成してなる請求項１または２に記載のＸ線撮影装置。
【発明の詳細な説明】
【技術分野】
【０００１】
本発明は、臥位、立位及び座位のＸ線撮影が１台の装置で可能なＸ線撮影装置に関する。
【背景技術】
【０００２】
従来、例えば特許文献１で、天板上に寝かせた被検者を動かすことなく、被検者の正面撮影と側面撮影が可能なＸ線撮影装置が提案されている。
前記特許文献１に記載のＸ線撮影装置は、Ｘ線撮像装置のＸ線撮像部をガイドレールに保持することにより、天板の短手方向にＸ線撮像部を引き出し自在に構成すると共に、Ｘ線撮像部の一辺を軸としてＸ線撮像部を上方へ９０度回転自在としたもので、被検者の側面撮影を行う場合は、Ｘ線撮像部を天板の短手方向に引き出して上方へ９０度回転させ、被検者の側方からＸ線を照射して、被検者を透過したＸ線をＸ線撮像部により撮像することにより、天板上の被検者を動かすことなく被検者の側面撮影が可能となっている。
【特許文献１】特開２００２−１９１５８８号公報
【発明の開示】
【発明が解決しようとする課題】
【０００３】
しかし前記特許文献１に記載のＸ線撮影装置では、被検者を天板上に寝かせて撮影を行う臥位撮影のみの限定されるため、被検者の立位や座位の撮影を行う場合は、立位や座位の撮影を行うためのＸ線撮影装置を別に設置しなければならず、設備費が嵩む上、その設置のために広いスペースが必要となることから、より少ないスペースでＸ線撮影を行いたいという要求に応えることができなかった。
また被検者が高齢者の場合のように、上半身や下半身等複数の部位を一度に撮影するＸ線撮影では、被検者の撮影部位に応じて臥位撮影を行うＸ線撮影室と、立位や座位撮影を行うＸ線撮影室の間を移動してＸ線撮影を行わなければならないため、被検者の負担が大きいと共に、従来の臥位撮影を行うＸ線撮影装置では、被検者を天板上に寝かせた状態でＸ線撮影を行うことから、例えば整形外科分野のように下肢、特に膝や足首等の関節の撮影を行う場合、関節に体重が加わった状態の負荷撮影ができないため、得られたＸ線画像からでは関節痛の原因となる軟骨の摩耗等の症状が容易に特定できにくい等の問題にも配慮していなかった。
【０００４】
本発明はかかる従来の問題を改善するためになされたもので、臥位、立位及び座位の撮影が１台の装置で可能なＸ線撮影装置を提供することを目的とするものである。
【課題を解決するための手段】
【０００５】
本発明のＸ線撮影装置は、Ｘ線照射手段より照射されたＸ線により被検者の撮影部位を撮影し、撮影部位を透過したＸ線をＸ線受像手段により受像することにより、撮影部位のＸ線画像を得るようにしたＸ線撮影装置であって、被検者を寝かせる天板を備えたＸ線撮影台と、天板の下方にほぼ水平に設置されたＸ線受像手段と、Ｘ線受像手段を天板の長手方向と直交する方向へ出し入れ自在に支持すると共に、Ｘ線受像手段をほぼ水平位置からほぼ垂直位置まで下方へ回動できるように支持するガイド手段と、Ｘ線受像手段を任意な角度に係止する角度調整手段とから構成したものである。
【０００６】
前記構成により、１台のＸ撮影装置により被検者の臥位、立位及び座位の何れの姿勢のＸ線撮影が可能となるため、被検者を天板上に寝かせて撮影を行う臥位撮影用のＸ線撮影装置の他に、被検者の立位や座位のＸ線撮影を行うＸ線撮影装置を別に設置する必要がないことから、設備費及び設置スペースを大幅に削減することができる。
また上半身や下半身等の複数の部位をＸ線撮影する場合でも、被検者の撮影部位に応じてＸ線撮影室間を移動する必要がないため、被検者が高齢者の場合、被検者の負担を大幅に低減できると共に、撮影部位が被検者の膝や足首のような下肢の場合、立位撮影を行うことにより被検者の体重が下肢に加わる負荷撮影となるため、より実際的な姿勢でのＸ線撮影が可能となり、これによって負荷撮影により得られたＸ線画像により関節痛の原因等の特定が容易に行えるため、関節痛の診断が正確に行えるようになる。
【０００７】
本発明のＸ線撮影装置は、ガイド手段を、Ｘ線撮影台側にほぼ水平に固定された固定レールと、固定レールに摺動自在に支承されたスライダに後端が軸ピンにより回動自在に支承された可動レールとから構成し、可動レールにＸ線受像手段を着脱自在に取り付けたものである。
【０００８】
前記構成により、ガイド手段に市販されているＬＭガイド等が使用できるため、ガイド手段が安価に得られる上、Ｘ線受像手段の出し入れがスムーズに行えるため、Ｘ線の撮影能率が向上すると共に、Ｘ線受像手段を過般式Ｘ線受像手段に交換する等の作業も容易に行える。
【０００９】
本発明のＸ線撮影装置は、角度調整手段を、Ｘ線受像手段側に設けられ、かっＸ線受像手段の回動中心を中心とする円上に複数の係止孔が穿設された角度調整板と、Ｘ線撮影台側に設けられ、かつ角度調整板の係止孔に選択的に挿入することにより、Ｘ線受像手段を任意な角度に係止する係止ピンとから構成したものである。
【００１０】
前記構成により、座位姿勢にある被検者の撮影部位に応じてＸ線受像手段の角度が容易に変えられるため、下肢等のＸ線撮影が容易に行える上、被検者に無理な姿勢を強いる必要がないため、被検者の負担も軽減できる。
【発明の効果】
【００１１】
本発明のＸ線撮影装置によれば、１台のＸ撮影装置により被検者の臥位、立位及び座位の何れの姿勢のＸ線撮影が可能となるため、被検者を天板上に寝かせて撮影を行う臥位撮影用のＸ線撮影装置の他に、被検者の立位や座位のＸ線撮影を行うＸ線撮影装置を別に設置する必要がないため、設備費及び設置スペースを大幅に削減することができる。
【発明を実施するための最良の形態】
【００１２】
本発明の実施の形態を、図面を参照して詳述する。
図１はＸ線撮影装置の全体図、図２はＸ線撮影台の平面図、図３は同側面図、図４はＸ線受像手段の拡大平面図、図５はガイド手段の側面図、図６は図５のＡ−Ａ線に沿う断面図、図７は図５のＢ−Ｂ線に沿う断面図、図８ないし図１０は作用説明図である。
図１に示すＸ線撮影装置は、床２上に設置されたＸ線撮影台１と、天井３に布設されたガイドレール４に移動自在に吊持されたＸ線照射手段５とからなる。
天井３に布設されたガイドレール４には、縦横に移動自在な移動台車６が取り付けられていて、この移動台車６の下面に伸縮アーム７が垂下されており、伸縮アーム７の先端に、Ｘ線照射手段５が自在継手７ａを介して回動自在に取り付けられている。
Ｘ線照射手段５は、Ｘ線を照射するＸ線管５ａと、Ｘ線管５ａより照射されたＸ線の照射量や照射野を調整する絞り手段５ｂ等から構成されていて、Ｘ線撮影台１の上方や側方等任意の方向から被検者８の撮影部位に向けてＸ線が照射できるようになっている。
【００１３】
Ｘ線撮影台１は、上部に被検者８が横になる長方形状の天板１ａが水平に設置されており、天板１ａの下方にフラットパネルデテクタやＸ線フィルムカセッテ等からなるＸ線受像手段１０が設置されている。
Ｘ線受像手段１０は、被検者８が臥位、立位及び座位の何れの姿勢でもＸ線撮影ができるように、ガイド手段１１に天板１ａの下方に取り付けられている。
ガイド手段１１は図４に示すように、Ｘ線受像手段１０の両側に設けられたＬＭガイドよりなるガイドレール１１ａを有している。
ガイドレール１１ａは、Ｘ線撮影台１側に水平に固定された固定レール１１ｂと、固定レール１１ｂの内側に設けられた可動レール１１ｃとから形成されていて、可動レール１１ｃ間にＸ線受像手段１０が着脱自在に取り付けられている。
可動レール１１ｃの後端側は、固定レール１１ｂに摺動自在に支承されたスライダ１１ｄに軸ピン１１ｅを介して回動自在に枢着されており、可動レール１１ｃの前端側には、固定ガイドレール１１ｂ内を転動するガイドローラ１１ｆが回転自在に取り付けられていて、固定レール１１ｂに対して可動レール１１ｃとともにＸ線受像手段１０が天板１ａの下側よりＸ線撮影台１の前方へ引き出せるようになっている。
【００１４】
固定レール１１ｂの前端と後端には、それぞれストッパ１１ｇ、１１ｈが設けられていて、後端側のストッパ１１ｈにスライダ１１ｄを当接させることにより、天板１ａの上に寝かせた被検者８を撮影する際の定位置にＸ線受像手段１０を停止できるようになっている。
前端側のストッパ１１ｇの近傍には図５に示すように、固定レール１１ｂの下部を切り欠くことにより、ガイドローラ１１ｆの直径よりやや大きい切り欠き部１１ｉが形成されていて、この切り欠き部１１ｉよりガイドローラ１１ｆを固定レール１１ｂの下方へ引き出せるようになっている。
また可動レール１１ｃの前端部と後端部に、Ｘ線撮影台１の前方へ引き出したＸ線受像手段１０をほぼ水平位置からほぼ垂直位置の任意な角度で固定する角度調整手段１２が設けられている。
【００１５】
角度調整手段１２は図５に示すように、可動レール１１ｃの後端側上面に固着されたほぼ扇状の角度調整板１２ａを有している。
角度調整板１２ａには、Ｘ線受像手段１０の回動中心となる軸ピン１１ｅを中心とする円上に、例えば１０度の間隔で複数の係止孔１２ｂが穿設されていて、これら係止孔１２ｂの１個に、可動レール１１ｃの前端側側面に設けられた係止ピン１２ｃを挿入することにより、Ｘ線受像手段１０を任意な角度に固定できるようになっている。
係止ピン１２ｃは図７に示すように、可動レール１１ｃの側面に固着されたばね筒１２ｄの中心部に水平方向に摺動自在に支承されており、先端側はストッパ１１ｇに形成されたピン孔１２ｅに嵌挿されている。
ばね筒１２ｄ内には、係止ピン１２ｃを可動レール１１ｃ側へ付勢する圧縮ばね１２ｆが収容されていると共に、係止ピン１２ｃの基端側にはストッパピン１２ｇと摘み１２ｈが設けられており、ばね筒１２ｄの先端には、ストッパピン１２ｇが嵌合するほぼＵ字形のストッパ溝１２ｉ、１２ｊが十字方向に形成されている。
ストッパ溝１２ｉと１２ｊは長さが異なっていて、長さの短いストッパ溝１２ｉにストッパピン１２ｇを嵌合すると、係止ピン１２ｃの先端が図７に示すようにピン孔１２ｅ内に没入し、長さの長いストッパ溝１２ｉにストッパピン１２ｇを嵌合すると、係止ピン１２ｃの先端がピン１１より可動レール１１ｃ側へ突出するようになっている。
【００１６】
次に前記構成されたＸ線撮影装置の作用を説明する。
被検者８をＸ線撮影台１の天板１ａ上に寝かせた臥位の姿勢でＸ線撮影を行う場合は、Ｘ線受像手段１０を天板１ａの下方の定位置に停止させた状態で、天井３に設置したＸ線照射手段５を図１に示すように被検者８の上方へ移動させ、Ｘ線を下方の被検者８に向けて照射して被検者８の撮影部位をＸ線撮影するもので、被検者８の撮影部位を透過したＸ線は、天板１ａの下方に設置されたＸ線受像手段１０により受像されることにより、Ｘ線画像が得られるようになる。
【００１７】
一方被検者８を図９に示すように立位の姿勢でＸ線撮影を行う場合は、Ｘ線受像手段１０の全面に設けられた把手１０ａを手前へ引いて天板１ａの下方よりＸ線撮影台１の前方へＸ線受像手段１０を引き出す。
そして可動レール１１ｃの前端を支持するガイドローラ１１ｆが図５に示すように前端側のストッパ１１ｇに当接したら、Ｘ線受像手段１０の前端を下降させて、ガイドローラ１１ｆを固定レール１１ｂ内より下方へ引き出す。
これによって軸ピン１１ｅを中心にＸ線受像手段１０の前端が下方へ回動自在となるので、スライダ１１ｄが前端側のストッパ１１ｇに当接するまでＸ線受像手段１０を引き出しながら下方へ回動する。
スライダ１１ｄの前端側のストッパ１１ｇに当接して、Ｘ線受像手段１０がスライダ１１ｄの下方へ垂下された状態となったら、角度調整手段１２によりＸ線受像手段１０の角度を調整する。
【００１８】
図９に示すように立位姿勢の被検者８をＸ線撮影する場合は、Ｘ線受像手段１０が垂直となった位置で係止ピン１２ｃの先端を角度調整板１２ａの係止孔１２ｂに挿入して、Ｘ線受像手段１０を垂直位置に固定する。
Ｘ線受像手段１０のセットが完了したら、Ｘ線照射手段５を図９に示すように被検者８の撮影部位へ移動させて、撮影部位のＸ線撮影を行うもので、撮影部位が被検者８の下肢の場合、被検者８の体重が負荷として下肢に加わるので、より実際的な姿勢でのＸ線撮影が可能となる。
すなわち臥位や座位では、体重が負荷として関節に加わらないので、臥位や座位で撮影したＸ線画像では、関節痛の原因等の特定が難しくなるが、被検者８の体重が関節に加わる負荷撮影により得られたＸ線画像によれば、関節痛の診断が容易かつ正確に行えるようになる。
【００１９】
またＸ線撮影台１の天板１ａに被検者８を図１０に示すように座らせた座位でのＸ線撮影も可能となる。
このとき図８の仮想線で示すように軸ピン１１ｅを中心にＸ線受像手段１０を回動させ、所望の角度となった時に角度調整手段１２の係止ピン１２ｃを角度調整板１２ａの係止孔１２ｂへ挿入することにより、Ｘ線受像手段１０を所望の角度に容易に固定することができるため、被検者８の楽な姿勢でＸ線撮影を行うことができる。
【００２０】
なおＸ線受像手段１０にポータブルカセッテ等の可搬式受像手段を使用する場合は、現在使用しているＸ線受像手段１０を取り外して、可搬式受像手段と交換すればよい。
また前記実施の形態では、Ｘ線撮影台１の手前へ引き出したＸ線受像手段１０を下方へ回動するようにしたが、上方へも回動できるようにすれば、臥位撮影時被検者の側面撮影も可能である。
【００２１】
また前記実施の形態では、Ｘ線受像手段１０の角度調整手段１２を、複数の係止孔１２ｂを有する角度調整板１２ａと、角度調整板１２ａの係止孔１２ｂに挿入することによりＸ線受像手段１０を任意な角度に係止する係止ピン１２ｃとから構成したが、Ｘ線受像手段１０を回動自在に支承する軸ピン１１ｅの部分に電磁ツースクラッチよりなる角度調整手段１２を設けて、電磁ツースクラッチによりＸ線受像手段１０を任意な角度に固定できるようにしてもよい。
電磁ツースクラッチは、歯が互いに噛み合うロータとアマーチュアを電磁石により吸着させたり、離間させたりして歯の噛み合い位置を変えることにより、ロータとアマーチュアの相対位置が自由に変えられるようにしたクラッチで、ロータとアマーチュアの一方をＸ線受像手段１０側に、そして他方をガイド手段１１側に設けることにより、スイッチボタンの操作によりＸ線受像手段１０の角度が任意に変えられる上、係止ピン１２ｃが不要となるため、固定レール１１ｂの前端に係止ピン１２ｃが突出することがなくなり、これによってＸ線撮影の際、係止ピン１２ｃが作業の邪魔になることがない等の効果が得られるようになる。
【産業上の利用可能性】
【００２２】
本発明のX線撮影装置は、１台のＸ撮影装置により被検者の臥位、立位及び座位の何れの姿勢のＸ線撮影が可能となるため、病院等に設置するＸ線撮影装置に最適である。
【図面の簡単な説明】
【００２３】
【図１】本発明の実施の形態になるＸ線撮影装置の側面図である。
【図２】本発明の実施の形態になるＸ線撮影装置に設けられたＸ線撮影台の平面図である。
【図３】本発明の実施の形態になるＸ線撮影装置に設けられたＸ線撮影台の正面図である。
【図４】本発明の実施の形態になるＸ線撮影装置に設けられたＸ線受像手段の拡大平面図である。
【図５】本発明の実施の形態になるＸ線撮影装置に設けられたガイド手段の側面図である。
【図６】図５のＡ−Ａ線に沿う断面である。
【図７】図５のＢ−Ｂ線に沿う断面図である。
【図８】本発明の実施の形態になるＸ線撮影装置の作用説明図である。
【図９】本発明の実施の形態になるＸ線撮影装置の作用説明図である。
【図１０】本発明の実施の形態になるＸ線撮影装置の作用説明図である。
【符号の説明】
【００２４】
１    Ｘ線撮影台
１ａ    天板
５    Ｘ線照射手段
１０    Ｘ線受像手段
１１    ガイド手段
１１ｂ    固定レール
１１ｃ    可動レール
１１ｄ    スライダ
１１ｅ    軸ピン
１２    角度調整手段
１２ａ    角度調整板
１２ｂ    係止孔
１２ｃ    係止ピン
【図１】
2005349060.tif 000003
【図２】
2005349060.tif 000004
【図３】
2005349060.tif 000005
【図４】
2005349060.tif 000006
【図５】
2005349060.tif 000007
【図６】
2005349060.tif 000008
【図７】
2005349060.tif 000009
【図８】
2005349060.tif 000010
【図９】
2005349060.tif 000011
【図１０】
2005349060.tif 000012